(57)【要約】【課題】本発明の目的は、吐水具の装着方向に関係なく支持管に吐水具を確実、かつ、がたがないように保持することができ、最適な吐水具の着脱操作力を容易に設定できる吐水装置を提供すること。【解決手段】  支持管に挿通したホースの先端に吐水具が接続され、前記支持管と前記吐水具の端部が着脱自在であり、前記支持管には、着脱部側に前記ホースと同軸方向に突出した筒状の突出部を、前記吐水具には、前記突出部外周に係合する筒状の係合部を着脱部側に備えた吐水装置であって、前記突出部の先端の外径ｄと、前記突出部の先端と係合する前記係合部の内径ＤとはＤ≦ｄとすべく構成し、前記突出部の先端に、前記突出部と同軸上に凹部を設けた。【選択図】  図４
2006257667.tif 000002
【特許請求の範囲】
【請求項１】
支持管に挿通したホースの先端に吐水具が接続され、前記支持管と前記吐水具の端部が着脱自在であり、前記支持管には、着脱部側に前記ホースと同軸方向に突出した筒状の突出部を、前記吐水具には、前記突出部外周に係合する筒状の係合部を着脱部側に備えた吐水装置であって、
前記突出部と、突出部外周に係合する筒状の係合部との係合前は、前記前記突出部の先端の外径ｄと、前記突出部の先端と係合する前記係合部の内径ＤとはＤ≦ｄとすべく構成し、
前記突出部の先端に、前記突出部と同軸上に凹部を設けたことを特徴とする吐水装置。
【請求項２】
前記突出部の先端の凹部により形成された前記吐水具の係合部と係合する外周凸部には、突出方向にスリットを設けたことを特徴とする請求項１記載の吐水装置。
【請求項３】
前記スリットが対称方向に複数あることを特徴とする請求項２に記載の吐水装置。
【発明の詳細な説明】
【技術分野】
【０００１】
本発明は、台所および洗面台や浴室などに設置するシャワーホースが引出し可能な水栓の吐水具の保持装置に関するものである。
【背景技術】
【０００２】
従来の台所等に設置される引出し可能な吐水具の支持部との係合は、図７に示されるような被係止部１０１のものが一般的であり、セレーションと称される鋸歯状の係止部１０２と被係止部１０１との係合によって行われていた。このような場合は装着したまま回転できない場合が多く、回転できる仕様にする場合は、部品点数が増し組立て時の作業性が悪く、かつコスト高になった。また使用中のシャワーヘッドからの水かかりやホースの伝い水が水栓本体の係止部１０２の開口部から入ることが多い。従って何らかの水進入防止機構が必要であった。
【０００３】
一方、被係止部が水平もしくは下向きのものは、水進入防止に関しては有利であるが、吐水具が重力で外れないように吐水具を支持管に保持させる機構が必要となる。そこで吐水具側接続口の内周面に溝を周設し、更にその接続口端面をスリットにしてこの吐水具側接続口の溝と支持管側接続口に周設された突起が嵌合することで下向き時の吐水具の保持に効果を発揮するものがあった（例えば、特許文献１参照のこと）。 
【０００４】
このような場合、接続口側の１箇所のみで保持しているため、吐水具が上下または左右にがたつきを生じたり、吐水具と支持管の間に隙間があいてしまうという問題があった。また、上記問題を解決しようと吐水具と支持管の嵌合をきつくすると吐水具の着脱操作力が大きくなるという問題もあった。このように吐水具と支持管をがたなく、かつ、軽い操作力で着脱できるように嵌合調整するのは、それぞれの成形品の成形バラツキにより嵌合の緩いものや強いものが出来上がり、その調整に非常に手間がかかるという欠点があった。
【０００５】
【特許文献１】特開２００３−１４７８２１号公報
【発明の開示】
【発明が解決しようとする課題】
【０００６】
本発明は、上記問題を解決するためになされたもので、本発明の目的は、吐水具の装着方向に関係なく支持管に吐水具を確実、かつ、がたがないように保持することができ、吐水具の最適な着脱操作力を容易に設定できる吐水装置を提供することである。
【課題を解決するための手段】
【０００７】
上記目的を達成するために請求項１記載の発明によれば、支持管に挿通したホースの先端に吐水具が接続され、前記支持管と前記吐水具の端部が着脱自在であり、前記支持管には、着脱部側に前記ホースと同軸方向に突出した筒状の突出部を、前記吐水具には、前記突出部外周に係合する筒状の係合部を着脱部側に備えた吐水装置であって、前記突出部と、突出部外周に係合する筒状の係合部との係合前は、前記前記突出部の先端の外径ｄと、前記突出部の先端と係合する前記係合部の内径ＤとはＤ≦ｄとすべく構成し、前記突出部の先端に、前記突出部と同軸上に凹部を設けたこととした。
これにより、ホースと先端部内径の隙間を小さくしつつ、突出部の先端部肉厚を薄くすることができ、吐水具を支持管に装着した時に、突出部先端が内側（突出部軸方向）に変形し、弾性力を持たせ、突出部と係合部が、隙間なく係合できるため、吐水具のがたつきをなくすことができる。
また、突出部先端の寸法がばらついでも、突出部先端が内側に変形することにより、着脱操作力を軽く、かつ、安定させることができるので、吐水具の引き出しがスムーズに行うことができる。
【０００８】
また、請求項２記載の発明によれば前記突出部の先端の凹部により形成された前記吐水具の係合部と係合する外周凸部には、突出方向にスリットを設けたことである。
これにより、突出部の先端が、より軽い力で突出部軸方向に変形することができ、更にスリットの数により弾性力を調整することができる。
【０００９】
また、請求項３記載の発明によれば、前記スリットが対称方向に複数あることである。
これにより、弾性力が均等になり、吐水具の着脱力、および吐水具の保持力を方向性に関係なく、均一にすることができる。
【発明の効果】
【００１０】
本発明によれば、最適な操作力で吐水具を確実に支持管に着脱でき、吐水具が容易に外れたり隙間ができたり、がたついたりしないという効果がある。
【発明を実施するための最良の形態】
【００１１】
以下、本発明を図示された実施例に基づいて詳述する。図１は台所に取付けられている水栓１の一例である。図１（ａ）は、水栓１から吐水具３を引き出した状態の外観図、（ｂ）は吐水具３を水栓１に穿設した支持管２に保持させた状態の外観図である。シャワーホース４が接続された吐水具３は端部を支持管２に取付けられるようになっており、シャワーホース４を介して引き出して使用することもできる構造となっている。
また、吐水具３の先端下部には、水栓１の吐水状態を整流とシャワーとに切り替える散水板５０が穿設されている。
【００１２】
水栓１に穿設した支持管２は吐水具３との接続部である突出部２０を支持管２の端部に構成しており、吐水具３をシャワーホース４とともに支持管２から引き出して使用している際のかかり水やシャワーホース４の表面に付着した水の伝い水が容易に支持管２の接続部側、すなわち突出部２０側から浸入するのを防止している。つまり、支持管２の突出部２０は図１に示すように凸形状をしており（図４（ｂ）参照）、水浸入がし難いように内通しているシャワーホース４の外径とほぼ等しい内径で形成されており、水が浸入する隙間がほとんど無いように構成している。
【００１３】
図２は、水栓１の吐水具３を支持管２に保持させた状態の概略断面図である。水栓１は、カウンター８に取付けられた本体６と、該本体６の上部に、湯水の混合割合や吐水量を調整するバルブ部７と、前記本体６の軸芯まわりに回転するスパウト部５と、該スパウト部５に連通し、吐水具３を支持する支持管２とから構成される。
【００１４】
また、前記本体６は、上部の本体ガイド１４と一体的に構成されており、該本体ガイド１４は、内部に水側通水路・湯側通水路並びに混合通水路（図省略）を有し、前記バルブ部７を保持するバルブガイド１５と一体的に構成されている。更に、該バルブガイド１５は、前記本体６の内部空間６ａを通り、下流側通水路１０ａを有する固定軸１０と水密に接続されている。
【００１５】
水栓１のカウンター８への取付けは、該カウンター８の開口部９に、前記固定軸１０を差込み、カウンター８を挟み込むように、カウンター８の下側から、馬蹄金具１１、スペーサー１２を介して、ナット１３にてカウンター８下側から締付ける。カウンター８に水栓１を取付ける機構としては、他にクイックナットでの締付け、或いは、カウンター８の下に潜らずにカウンター８の上面側から締付けできる公知技術である上面施工等の方法もあるが、ここでは、代表例として馬蹄金具１１で締付ける方法を説明している。
【００１６】
シャワーホース４に連接した前記吐水具３は、支持管２に着脱自在であり、シャワーホース４を介して引き出して使用することができる。また、シャワーホース４が、支持管２を通して本体６に収納され、吐水具３を支持管２に固定することもできる。
【００１７】
図３に吐水具３の分解斜視図を示す。吐水具３は散水板外筒５１、散水板内筒５２、吐水インナー５３および吐水カバー５４から構成されており、シャワーホース４は吐水インナー５３と接続されて上端が開口した薄肉の固定ピン５５を介して吐水カバー５４と一体的に固定される。散水板外筒５１、散水板内筒５２はねじ５６で吐水カバー５４の先端開口部５７に挿入され、吐水インナー５３の先端固定部５８に接続されている。前記散水板５０は、散水板外筒５１を回転させることにより、吐水形態を切り替える構造となっている。ここで、吐水インナー５３の後端側、つまり突出部２０に外嵌する部分は係合内径部３２（内径寸法：Ｄ）を有する構造となっている。
また、吐水インナー５３を吐水カバー５４に挿入する際、組立性、及び、保持性を考慮し、吐水インナー５３先端に設けた溝状の基台部４８と吐水カバー５４内面に設けた凸状のガイドリブ４０を溝に沿うようスライドさせ、内挿させて組立てるように構成している。
ここで、吐水インナーは、強度、摺動性、耐熱水性、係合内径部に弾性を持たせる目的で、ポリアセタール、ポリサルフォン、ポリプロピレン等を素材とし成形することが望ましい。突出部２０も同様に、強度、摺動性、弾性を持たせる目的で、ポリブチレンテレフタレート、ポリアセタール、ポリサルフォン、ポリプロピレン等を素材とし成形することが望ましい。
【００１８】
また、吐水インナー５３の基端部には弾性手段である筒状の係合部３０を有し、複数のスリット３１により、半径方向に弾性を有する爪３４を構成している。更に、前記爪３４の内側には、溝部３３を形成し、前記突出部２０に、前記吐水部３を装着した際、前記突出部２０の凸部２３（図４（ｂ）参照）が、前記溝部３３に係合することにより、クリック音とクリック感により、吐水具３の装着が確認できる。
【００１９】
次に、吐水具３と支持管２との接続を図４に示す。図４（ａ）は吐水具３を支持管２に接続した図であり、（ｂ）は突出部２０の断面および側面図である。ここで、吐水具３の内側の吐水インナー５３に形成された１箇所以上のスリット３１と、支持管２側に取付けた突出部２０の根元側にある凸部２３との嵌合により、吐水具３は支持管２に保持されている。
【００２０】
また、突出部２０の先端部２１ａ（外径寸法：ｄ）の外径は、吐水インナー５３の筒状の係合内径部３２（内径寸法：Ｄ）の内径とは、先端部２１ａと係合内径部３２が係合する前は、同径、或いは若干大径としている。また、突出部２０の先端部２１ａには、凹部２１ｄを形成している。
凹部２１ｄを形成することにより、突出部先端部２１ａは、外周凸部２１ｅ、凹部２１ｄ、内周凸部２１ｆから構成される。
内周凸部２１ｆにより、シャワーホース４と先端部内径の隙間を小さくしつつ、外周凸部２１ｅにより、突出部２０の先端部２１ａの肉厚を薄くすることができ、吐水具３を支持管２に装着した時に、突出部２０の先端部２１ａの外周凸部２１ｅが内側（突出部２０軸方向）に変形し、弾性力を持たせ、突出部２０と係合部３０が、隙間なく係合できるため、吐水具３のがたつきをなくすことができる。
また、突出部先端の寸法がばらついでも、突出部先端が内側に変形することにより、着脱操作力を軽く、かつ、安定させることができるので、吐水具３の引出し時の操作力を軽くすることができる。
さらに、外周凸部２１ｅの突出方向に１箇所以上のスリット３６を設けた。これにより、突出部２０の外周凸部２１ｅが、より軽い力で内側（突出部２０軸方向）に変形することができ、更にスリット３６の数により弾性力を調整することができるため、外周凸部２１ｅの先端部２１ａの弾性力調整が可能になる。
【００２１】
上述のように、吐水具３を保持する時、突出部２０の根元にある凸部２３に、爪３４を係合させ、かつ、突出部２０の先端部２１ａを筒状の係合内径部３２で保持することにより、軽く安定した力で、着脱でき、更に、吐水具３ががたつくことなく、保持することができる。ここで、凸部２３と溝部３３は、凹と凸の形状を逆にしても何等差し支えない。
【００２２】
図５に筒状の係合部３０の実施形態を示す。図に示すように、前記突出部２０の先端部２１ａが係合部３０に挿通し易いように係合内径部３２の基端部分は突出部２０の先端部２１ａの外径部より若干大径とし、先端部２１ａが係合部３０の内面に当接する手前部分をテーパ部２５としている。これにより、突出部２０に、吐水具３が係合される時のみ、抵抗力が発生し、着脱操作が非常にスムーズに行うことができる。
【００２３】
図６は、筒状の係合部３０の、さらに別の実施形態を示す。図６の例では、吐水具３が突出部２０に係合された時、突出部２０の先端部２１ａが接触する係合部３０の奥側を段差部２６としたものである。この場合においても、テーパ部２５と同様に、突出部２０に、吐水具３が係合される時のみ、抵抗力が発生し、着脱操作が非常にスムーズに行うことができる。
【００２４】
更に、相互の嵌合する形状は、鋸歯状のような特異な形状ではなく、筒状であるため、装着完了状態においても吐水具３は、ホース４を軸芯として、首振り回転できる。
【図面の簡単な説明】
【００２５】
【図１】本発明の吐水装置を台所用水栓に取り付けた場合の外観斜視図である。
【図２】本発明の水栓の吐水具を支持管に保持させた状態の概略断面図である。
【図３】本発明の吐水具の分解斜視図である。
【図４】本発明の吐水具と支持管との接続を示す断面図である。
【図５】本発明の筒状の係合部の実施形態を示す図である。
【図６】本発明の筒状の係合部の別の実施形態を示す図である。
【図７】従来の吐水装置のシャワーホースを引き出した場合の外観斜視図である。
【符号の説明】
【００２６】
１…水栓
２…支持管
３…吐水具
４…シャワーホース
５…スパウト部
６…本体
７…バルブ部
８…カウンター
９…開口部
１０…固定軸
１１…馬蹄金具
３０…係合部
３１…スリット
【図１】
2006257667.tif 000003
【図２】
2006257667.tif 000004
【図３】
2006257667.tif 000005
【図４】
2006257667.tif 000006
【図５】
2006257667.tif 000007
【図６】
2006257667.tif 000008
【図７】
2006257667.tif 000009